(57)【要約】  【課題】  クッション材を不要とし、且つ開状態のトレイドアがユーザにより押されても外れることのない光ディスク装置を提供することである。  【解決手段】  光ディスク装置の前面を覆い、開口部１１ａを有したフロントパネル１１と、開口部１１ａから出入りするディスクトレイと、蓋部１３ａとドアアーム１３ｂ、１３ｃと回転軸１３ｄ、１３ｅとを有し、ディスクトレイに押されて開くトレイドア１３と、回転軸１３ｅに巻回されトレイドア１３を閉じる方向に付勢するバネ１４とを備え、ドアアーム１３ｂ、１３ｃの回転軸回転軸１３ｄ、１３ｅとは反対側にそれぞれ近接し、投影が閉状態のドアアーム１３ｂ、１３ｃとフロントパネル１１とで囲まれた空間に収まり、投影の一部が開状態のドアアーム１３ｂ、１３ｃに重なる平板状のリブ１１ｄ、１１ｅをフロントパネル１１に一体成形構成とする。【選択図】      図１
0003109833.tif 000002
【実用新案登録請求の範囲】
【請求項１】
本装置の前面を覆い、開口部を有したフロントパネルと、前記開口部から出入りし、光
ディスクを載置するディスクトレイと、前記開口部を塞ぐ蓋部と該蓋部からコ字型に突出
した２つのドアアームと該ドアアームを前記フロントパネルに回動可能に取り付ける２つ
の回転軸とを有し、前記ディスクトレイに押されて開くトレイドアと、一方の前記回転軸
に巻回され前記トレイドアを閉じる方向に付勢するバネとを備えた光ディスク装置におい
て、
前記ドアアームの前記回転軸とは反対側にそれぞれ近接し、投影が閉状態の前記ドアア
ームと前記フロントパネルとで囲まれた空間に収まり、投影の一部が開状態の前記ドアア
ームに重なる平板状の２つのリブを前記フロントパネルに一体成形したことを特徴とする
光ディスク装置。
【請求項２】
本装置の前面を覆い、開口部を有したフロントパネルと、前記開口部から出入りし、光
ディスクを載置するディスクトレイと、前記開口部を塞ぐ蓋部と該蓋部からコ字型に突出
したドアアームと該ドアアームをフロントパネルに回動可能に取り付ける取付部とを有し
、前記ディスクトレイに押されて開くトレイドアとを備えた光ディスク装置において、
前記ドアアームの前記取付部とは反対側に近接し、投影が閉状態の前記ドアアームと前
記フロントパネルとで囲まれた空間に収まり、投影の一部が開状態の前記ドアアームに重
なるリブを前記フロントパネルに設けたことを特徴とする光ディスク装置。
【請求項３】
前記リブは前記フロントパネルと一体成形されることを特徴とする請求項２記載の光デ
ィスク装置。
【請求項４】
前記リブは平板状であることを特徴とする請求項２又は３記載の光ディスク装置。
【請求項５】
前記ドアアームは前記トレイドアの長手方向の両端付近にそれぞれ設けられることを特
徴とする請求項２〜４の何れかに記載の光ディスク装置。
【請求項６】
一方の前記取付部に前記トレイドアを閉じる方向に付勢するバネを設けたことを特徴と
する請求項５記載の光ディスク装置。
【請求項７】
前記リブはバネが設けられていない前記ドアアームに対してのみ設けられることを特徴
とする請求項６記載の光ディスク装置。
【請求項８】
前記取付部が回転軸であることを特徴とする請求項２〜７の何れかに記載の光ディスク
装置。
【請求項９】
前記取付部が孔であることを特徴とする請求項２〜８の何れかに記載の光ディスク装置
。
【考案の詳細な説明】
【技術分野】
【０００１】
本考案は、光ディスク装置のトレイドアの構造に関するものである。
【背景技術】
【０００２】
従来、光ディスク装置には、ディスクトレイとトレイドアとを有するものがある。図４
は、従来の光ディスク装置のフロントパネル１１の内側正面図である。トレイドア１３の
ドアアーム１３ｂ、１３ｃの回転軸１３ｄ、１３ｅがフロントパネル１１の支持部１１ｂ
、１１ｃに回動可能に取り付けられている。そして、ドアアーム１３ｂの回転軸１３ｄと
反対側にはクッション材２０が当てられ、クッション材２０はフロントパネル１１に接着
されている。このクッション材２０は、ユーザによりトレイドア１３が横方向に押された
場合に、回転軸１３ｄ、１３ｅが支持部１１ｂ、１１ｃから抜け落ちることを防止、つま
りトレイドア１３が外れることを防止している。
【０００３】
また特許文献１には、フロントシャッターの切り欠き部にイジェクトボタンに向かって
突出する突起部を設け、その突起部の形状を、外力によってイジェクトボタンから突起部
に力が加えられた場合に、その力がフロントシャッターを閉じる方向に回転させる力とな
るようにしたＦＤＤのフロントシャッター外れ防止構造が開示されている。
【０００４】
また特許文献２には、開閉ドアを支持する構造として、一対のサイドステー、パネルカ
バーの内側に形成された突起部、一対のブラケット、板バネ、および各ブラケットを抑え
止めるための回転止め部としてダボを有する記録メディア再生装置のスロット部における
開閉ドア支持装置が開示されている。
【０００５】
また特許文献３には、バックルを操作してリリース動作を完了させた状態の時には、バ
ネの付勢力によりバックルが傾くことが抑えられ、常に水平になるようにされており、さ
らに連結板に設けたリブが開閉蓋に設けた凹部にはまり込んでロックすることにより、バ
ックルのぐらつきが抑えられる蓋開閉装置が開示されている。
【特許文献１】特開２００３−７７２５９号公報
【特許文献２】特開２００２−５０１６３号公報
【特許文献３】特開２０００−２０８９５９号公報
【考案の開示】
【考案が解決しようとする課題】
【０００６】
しかしながら、図４に示した光ディスク装置では、修理するためにトレイドア１３を外
す際には、クッション材２０を剥がす必要があり、手間が掛かっていた。更にクッション
材２０を用いることで部品点数が増加し、コストアップに繋がっていた。また特許文献１
〜３は、図４に示す光ディスク装置の構造とは異なるものである。
【０００７】
本考案は、クッション材を不要とし、且つ開状態のトレイドアがユーザにより押されて
も外れることのない光ディスク装置を提供することを目的とする。
【課題を解決するための手段】
【０００８】
上記目的を達成するために本考案の光ディスク装置は、本装置の前面を覆い、開口部を
有したフロントパネルと、前記開口部から出入りし、光ディスクを載置するディスクトレ
イと、前記開口部を塞ぐ蓋部と該蓋部からコ字型に突出した２つのドアアームと該ドアア
ームを前記フロントパネルに回動可能に取り付ける２つの回転軸とを有し、前記ディスク
トレイに押されて開くトレイドアと、一方の前記回転軸に巻回され前記トレイドアを閉じ
る方向に付勢するバネとを備えた光ディスク装置において、前記ドアアームの前記回転軸
とは反対側にそれぞれ近接し、投影が閉状態の前記ドアアームと前記フロントパネルとで
囲まれた空間に収まり、投影の一部が開状態の前記ドアアームに重なる平板状の２つのリ
ブを前記フロントパネルに一体成形したことを特徴とするものである。
【０００９】
この構成によると、トレイドアが閉じた状態では、外側からトレイドアを動かすことは
できない。またトレイドア１３が開いた状態では、外側からトレイドアを掴むことはでき
るが、ドアアームの一部がリブに重なっているので、トレイドアを左右に動かそうとして
もドアアームがリブと支持部に挟まれているので動かない。
【００１０】
また本考案の光ディスク装置は、本装置の前面を覆い、開口部を有したフロントパネル
と、前記開口部から出入りし、光ディスクを載置するディスクトレイと、前記開口部を塞
ぐ蓋部と該蓋部からコ字型に突出したドアアームと該ドアアームをフロントパネルに回動
可能に取り付ける取付部とを有し、前記ディスクトレイに押されて開くトレイドアとを備
えた光ディスク装置において、前記ドアアームの前記取付部とは反対側に近接し、投影が
閉状態の前記ドアアームと前記フロントパネルとで囲まれた空間に収まり、投影の一部が
開状態の前記ドアアームに重なるリブを前記フロントパネルに設けたことを特徴とするも
のである。
【００１１】
なお、前記リブは前記フロントパネルと一体成形することが望ましい。
【００１２】
また、例えば、前記リブは平板状とすることができる。
【００１３】
また、前記ドアアームは前記トレイドアの長手方向の両端付近にそれぞれ設けられるこ
とが望ましい。
【００１４】
また、一方の前記取付部に前記トレイドアを閉じる方向に付勢するバネを設けることが
望ましい。
【００１５】
また、前記リブはバネが設けられていない前記ドアアームに対してのみ設けてもよい。
【００１６】
また、前記取付部は回転軸や孔とすることができる。
【考案の効果】
【００１７】
本考案によると、適切な位置に適切な大きさのリブを設けることにより、クッション材
を不要とし、且つ開状態のトレイドアがユーザにより押されても外れることがない。従っ
て、通常使用中にユーザが誤ってトレイドア１３を外してしまうことがなくなる。
【００１８】
また本考案によると、リブとフロントパネルとが一体成形されるので、部品点数が削減
され、コスト削減に繋がる。
【００１９】
また本考案によると、リブを平板状とすることにより、フロントパネルと一体成形する
際に金型が抜きやすくなる。
ドアアームは前記トレイドアの長手方向の両端付近にそれぞれ設けられることが望ましい
。
【００２０】
また本考案によると、トレイドアを閉じる方向に付勢するバネを設けることによりディ
スクトレイの挿入動作に追随してトレイドアも閉じるので使い勝手がよい。
【００２１】
また本考案によると、リブはバネが設けられていないドアアームに対してのみ設けるこ
とで、少なくともトレイドアの外れを防止することができる。
【００２２】
また本考案によると、取付部は回転軸や孔とすることにより、様々な形状のフロントパ
ネルに対応することができる。
【考案を実施するための最良の形態】
【００２３】
図１は、光ディスク装置のフロントパネルの内側正面図、図２は、図１のＡ−Ａ線断面
図、図３は、図２のトレイドアが開状態の図である。
【００２４】
光ディスク装置の前面は、フロントパネル１１で覆われている。フロントパネル１１の
内面に、支持部１１ｂ、１１ｃと、リブ１１ｄ、１１ｅとが設けられている。そして、支
持部１１ｂ、１１ｃにはトレイドア１３が回動可能に取り付けられている。なお、フロン
トパネル１１を樹脂製として、支持部１１ｂ、１１ｃとリブ１１ｄ、１１ｅとをフロント
パネル１１と一体成形してもよい。一体成形すれば部品点数が削減され、コスト削減に繋
がる。
【００２５】
このフロントパネルにはディスクトレイ１２が出入りするための長方形の開口部１１ａ
が形成されている。そして、開口部１１ａを蓋するようにトレイドア１３が設けられてい
る。このトレイドア１３は、開口部１１ａを塞ぐ蓋部１３ａと、蓋部１３ａからコ字型に
突出した２つのドアアーム１３ｂ、１３ｃと、ドアアーム１３ｂ、１３ｃをフロントパネ
ル１１に回動可能に取り付ける２つの回転軸１３ｄ、１３ｅとからなり、一方の回転軸１
３ｅに巻回されトレイドア１３を閉じる方向に付勢するバネ１４を備えている。そして、
回転軸１３ｅが支持部１１ｃに挿入され、回転軸１３ｄが支持部１１ｂに挿入されている
。図１に示すように、一般にドアアーム１３ｂ、１３ｃはトレイドア１３の長手方向の両
端付近にそれぞれ設けられる。
【００２６】
上記のドアアーム１３ｂ、１３ｃがコ字型である理由は、ドアアーム１３ｂ又は１３ｃ
とフロントパネル１１とで囲まれた空間１５（図２参照）を形成するためである。この空
間１５はドアアーム１３ｂ、１３ｃが回動する際に必要となる。ここで、コ字型とは、丸
みを帯びた半円状の形状や三角形に近い形状も含むものとする。
【００２７】
上記のように回転軸１３ｄ、１３ｅがドアアーム１３ｂ、１３ｃに形成されている場合
は、支持部１１ｂ、１１ｃには孔を設けることで回転可能に支持できるが、例えば、回転
軸１３ｄ、１３ｅに替えてドアアーム１３ｂ、１３ｃに孔を形成し、支持部１１ｂ、１１
ｃに軸を設けても回転可能に支持できる。つまり、回転軸１３ｄ、１３ｅは、回転軸や孔
などを用いてドアアーム１３ｂ、１３ｃを回転可能に取り付ける取付部であればよい。ま
た、図１では支持部１１ｂ、１１ｃに対して回転軸１３ｄ、１３ｅを内側から挿入してい
るが、回転軸１３ｄ、１３ｅを外側から挿入できる形状としてもよい。この場合、リブ１
１ｄ、１１ｅは図１のようなドアアーム１３ｂ、１３ｃの内側に形成せずに、ドアアーム
１３ｂ、１３ｃの外側に形成する。なお、この場合にもドアアーム１３ｂ、１３ｃに孔を
形成し、支持部１１ｂ、１１ｃに軸を設ける構成としてもよい。
【００２８】
またリブ１１ｄ、１１ｅは、それぞれドアアーム１３ｂ、１３ｃの回転軸１３ｄ、１３
ｅとは反対側に近接して設けられる。リブ１１ｄ、１１ｅとドアアーム１３ｂ、１３ｃと
が接触するとトレイドアの１３の開閉が滑らかに行われないので好ましくない。リブ１１
ｄ、１１ｅとドアアーム１３ｂ、１３ｃとの間の距離は、回転軸１３ｄ、１３ｅが支持部
１１ｂ、１１ｃから突出している長さよりも短い距離とする。更に、リブ１１ｄ、１１ｅ
は、リブ１１ｄ、１１ｅのドアアーム１３ｂ、１３ｃ側への投影が、閉状態のドアアーム
１３ｂ、１３ｃの空間１５に収まり（図２の状態）、投影の一部が開状態のドアアーム１
３ｂ、１３ｃに重なる（図３の状態）大きさに形成される。例えば、図１〜３に示すよう
な平板状のリブ１１ｄ、１１ｅをフロントパネル１１に一体成形することができる。
【００２９】
なお、リブ１１ｄ、１１ｅの形状には特に限定はなく、平板状の他に、Ｔ字型、Ｌ字型
などの形状としてもよい。フロントパネルと一体成形する際に金型が抜きやすい形状であ
ることが好ましい。また、バネ１４が設けられていないドアアーム１３ｂに対してのみリ
ブ１１ｄを設ければ、トレイドアの外れを防止することができる。２つのリブ１１ｄ、１
１ｅを設けるとより確実にトレイドアの外れを防止することができる。
【００３０】
図２に示すようなトレイドア１３が閉じた状態では、外側からはトレイドア１３を左右
に動かすことはできないので、ユーザによって外側からトレイドア１３が外されることは
ない。また図３に示すようなトレイドア１３が開いた状態では、外側からトレイドア１３
を掴むことはできるが、ドアアーム１３ｂ、１３ｃの一部がリブ１１ｄ、１１ｅに重なっ
ているので、トレイドア１３を左右に動かそうとしてもドアアーム１３ｂ、１３ｄがリブ
１１ｄ、１１ｅと支持部１１ｂ、１１ｃに挟まれているので動かない。従って、トレイド
ア１３の開状態でもユーザによって外側からトレイドア１３が外されることはない。
【００３１】
なお、修理等でトレイドア１３を外したい場合は、まずフロントパネル１１を本体（不
図示）から外し、閉状態のトレイドア１３を内側から掴んで、バネ１４の縮む方向（図１
では紙面に向かって左方向）に動かし、回転軸１３ｄを支持部１１ｂから抜き、続いて回
転軸１３ｅを支持部１１ｃから抜くことでトレイドア１３が外れる。このとき、空間部１
５にリブ１１ｄ、１１ｅが通るようにしてトレイドア１３が外れる。このように、トレイ
ドア１３は、内側からしか外すことができない。従って、通常使用中にユーザが誤ってト
レイドア１３を外してしまうことがなくなる。一方、トレイドア１３の取り付けは、上記
の外す手順と逆に行えばよい。
【産業上の利用可能性】
【００３２】
本考案は、ディスクトレイによって押し開けられるトレイドアを有する光ディスク装置
に利用することができる。
【図面の簡単な説明】
【００３３】
【図１】本考案の光ディスク装置のフロントパネルの内側正面図である。
【図２】図１のＡ−Ａ線断面図である。
【図３】図２のトレイドアが開状態の図である。
【図４】従来の光ディスク装置のフロントパネルの内側正面図である。
【符号の説明】
【００３４】
１１    フロントパネル
１１ａ    開口部
１１ｂ、１１ｃ    支持部
１１ｄ、１１ｅ    リブ
１２    ディスクトレイ
１３    トレイドア
１３ａ    蓋部
１３ｂ、１３ｃ    ドアアーム
１３ｄ、１３ｅ    回転軸
１４    バネ
【図１】
0003109833.tif 000003
【図２】
0003109833.tif 000004
【図３】
0003109833.tif 000005
【図４】
0003109833.tif 000006